(57)【要約】【課題】カードコネクタにおいて、人体がメモリーカード挿入口付近に露出する回路端子に接触することを防ぐことで、回路基板上の回路へのＥＳＤを防止し、コネクタを安価且つ容易に回路基板上に搭載可能とする。【解決手段】カードコネクタは回路基板４上に固定される筐体１と、筐体１の開口部１ｄ近傍に保持される回路端子２と、回路基板４上に固定される保護プレート３とを備える。回路端子２は、一端が回路基板４上の回路４ａに接続され、他端がカード５を収納するための空間１ｃ側に延設されている。保護プレート３は断面形状がＬ字型の板金構造であり、開口部１ｄ付近の回路端子２の露出部分を覆うように配され接地電位と接続される。静電気を帯電する人体はカード５を挿入時に保護プレート３に接触して放電し、回路端子２に触れることがない。このため、ダイオード等の保護回路がなくとも、回路基板４上の回路４ａへのＥＳＤを防止することができる。【選択図】図１
2006196355.tif 000002
【特許請求の範囲】
【請求項１】
回路基板上に固定され、ｘＤピクチャーカード（カードという）が端子面を下側として収納される空間を形成し、前記カードを前記空間に導入するための開口部を有する筐体と、前記開口部近傍で前記筐体に保持され、一端が回路基板上の回路に導電接続され、他端がこの回路との接続点から前記空間側に延設されて、前記筐体に前記カードが導入されるときにこのカードの端子面と摺動接触する導電部材からなる回路端子とを備えたカードコネクタにおいて、
断面がＬ字型又はコの字型の形状を有し、前記回路端子の前記開口部付近の露出部分を覆い、前記回路基板上の接地電位に接続された板金構造でなる保護プレートを前記回路基板上に設け、
前記保護プレートの前記Ｌ字型又はコの字型の形状は、前記カードの挿入時に、カード先端を前記開口部から空間へ、前記回路端子の回路基板からの高さ相当分ガイドし得る形状とされており、この保護プレートにより回路のＥＳＤ（Ｅｌｅｃｔｒｏ‐Ｓｔａｔｉｃ  Ｄｉｓｃｈａｒｇｅ）を防止することを特徴とするカードコネクタ。
【請求項２】
回路基板上に固定され、片面に端子部を有するメモリーカード（カードという）が端子面を下側として収納される空間を形成し、前記カードを前記空間に導入するための開口部を有する筐体と、前記開口部近傍で前記筐体に保持され、一端が回路基板上の回路に導電接続され、他端がこの回路との接続点から前記空間側に延設されて、前記筐体に前記カードが導入されるときにこのカードの端子面と摺動接触する導電部材からなる回路端子とを備えたカードコネクタにおいて、
前記回路端子の前記開口部付近の露出部分を覆い、前記回路基板上の接地電位に接続された導電部材でなる保護プレートを前記回路基板上に設け、
この保護プレートにより回路のＥＳＤ（Ｅｌｅｃｔｒｏ‐Ｓｔａｔｉｃ  Ｄｉｓｃｈａｒｇｅ）を防止することを特徴とするカードコネクタ。
【請求項３】
前記保護プレートは、前記カードの挿入時に、カード先端を前記開口部から空間へガイドし得る形状にされており、板金により形成されていることを特徴とする請求項２記載のカードコネクタ。
【発明の詳細な説明】
【技術分野】
【０００１】
本発明は、メモリーカードと回路基板上の回路とを導電接続するためのカードコネクタに関するものである。
【背景技術】
【０００２】
従来のカードコネクタを図４に示す。カードコネクタは、メモリーカード１５を回路基板１４上の回路と接続するためのものであり、回路基板１４上に固定される筐体１１と、導電部材からなる回路端子１２とを備えている。筐体１１は、ハウジング１１ａと、ハウジング１１ａを覆うように配されるカバープレート１１ｂとからなり、例えばｘＤピクチャーカード等のメモリーカード１５が収納される空間１１ｃを形成し、このメモリーカード１５を空間１１ｃに導入するための開口部１１ｄを有している。回路端子１２は、この開口部１１ｄ近傍で筐体１１のハウジング１１ａに保持されており、一端が回路基板１４上の回路に導電接続される接続点１２ａとなり、他端がこの接続点１２ａから空間１１ｃ側に延設されている。このカードコネクタには、メモリーカード１５が、その端子部を下側として図の矢印方向に開口部１１ｄから空間１１ｃに挿入される。メモリーカード１５が挿入されると、メモリーカード１５の端子部と回路端子１２とが摺動接触することにより、メモリーカード１５と回路基板１４上の回路とが導電接続される。
【０００３】
このようなカードコネクタにおいては、回路端子１２が、メモリーカード１５の挿入口である開口部１１ｄ側に露出している形状となっているため、人がメモリーカード１５を挿入するときに、人体が回路端子１２の露出部に接触することがある。メモリーカード１５を挿入する人体が静電気を帯電していると、回路端子１２に接触したときにＥＳＤ（Ｅｌｅｃｔｒｏ‐Ｓｔａｔｉｃ  Ｄｉｓｃｈａｒｇｅ）が発生して、回路基板１４上の回路内部の半導体素子等が破壊されることがある。このＥＳＤ破壊を防止するために、回路端子１２と回路内部との間に保護ダイオード等の保護回路を設けることにより、ＥＳＤによる電流が回路内部に流れないようにする必要があった。
【０００４】
カードコネクタにおいて、上述のように保護回路を設けることなく、カード挿入時の静電気放電を防止するための技術としては、例えば特許文献１に記載されているような、金属のシールドプレートで覆われたメモリーカード用のカードコネクタがある。このカードコネクタは、メモリーカードと嵌合する回路端子を保持するハウジングの上面及び側面を覆うようにカバープレートを備えており、このカバープレートは、回路基板に取り付けるための取付金具を通して回路基板上の接地電位に接続される。このカバープレートのメモリーカード挿入端近傍は、一部分が切り起こされて下方へ折り曲げられた接触片とされ、このカードコネクタにメモリーカードを挿入すると、先ずメモリーカードのシールドプレートがカバープレートの接触片と接触することでカードに帯電している静電気が放電され、その後、メモリーカードの端子と回路端子とが接続されるため、ＥＳＤ破壊が防止される。
【特許文献１】実開平２−１４０７７９号公報
【発明の開示】
【発明が解決しようとする課題】
【０００５】
しかしながら、上記特許文献１に記載の技術は、金属のシールドプレートで覆われたメモリーカードに適用されるものであり、ｘＤメモリーカード等の樹脂等で覆われたメモリーカードに適用できるものではない。また、カードコネクタのメモリーカード１５挿入口である、筐体１１の開口部１１ｄ付近に回路端子１２が露出しているような構成のカードコネクタにおいては、人がメモリーカード１５を挿入するときに、静電気を帯電している人体が回路端子１２に直接接触してＥＳＤを起こすことがあり、特許文献１に記載の技術ではＥＳＤ破壊を防止できない。回路基板１４上の内部回路へのＥＳＤを防止するためには、上述のように回路端子１２と回路基板１４上の内部回路との間に保護回路を設ける必要があり、費用がかさみ、また、回路基板に保護回路を収納するためのスペースが必要となる等の問題点があった。
【０００６】
本発明は上記問題点を解消するためなされたものであり、静電気を帯電している人体がメモリーカード挿入口付近に露出する回路端子に接触することを防ぐことにより、ダイオード等の保護回路を設けることなく、回路基板上の回路へのＥＳＤを防止することができ、安価且つ容易に回路基板上に搭載することが可能なカードコネクタを提供することを目的とする。
【課題を解決するための手段】
【０００７】
上記目的を達成するため請求項１の発明は、回路基板上に固定され、ｘＤピクチャーカード（カードという）が端子面を下側として収納される空間を形成し、前記カードを前記空間に導入するための開口部を有する筐体と、前記開口部近傍で前記筐体に保持され、一端が回路基板上の回路に導電接続され、他端がこの回路との接続点から前記空間側に延設されて、前記筐体に前記カードが導入されるときにこのカードの端子面と摺動接触する導電部材からなる回路端子とを備えたカードコネクタにおいて、断面がＬ字型又はコの字型の形状を有し、前記回路端子の前記開口部付近の露出部分を覆い、前記回路基板上の接地電位に接続された板金構造でなる保護プレートを前記回路基板上に設け、前記保護プレートの前記Ｌ字型又はコの字型の形状は、前記カードの挿入時に、カード先端を前記開口部から空間へ、前記回路端子の回路基板からの高さ相当分ガイドし得る形状とされており、この保護プレートにより回路のＥＳＤ（Ｅｌｅｃｔｒｏ‐Ｓｔａｔｉｃ  Ｄｉｓｃｈａｒｇｅ）を防止したものである。
【０００８】
請求項２の発明は、回路基板上に固定され、片面に端子部を有するメモリーカード（カードという）が端子面を下側として収納される空間を形成し、前記カードを前記空間に導入するための開口部を有する筐体と、前記開口部近傍で前記筐体に保持され、一端が回路基板上の回路に導電接続され、他端がこの回路との接続点から前記空間側に延設されて、前記筐体に前記カードが導入されるときにこのカードの端子面と摺動接触する導電部材からなる回路端子とを備えたカードコネクタにおいて、前記回路端子の前記開口部付近の露出部分を覆い、前記回路基板上の接地電位に接続された導電部材でなる保護プレートを前記回路基板上に設け、この保護プレートにより回路のＥＳＤ（Ｅｌｅｃｔｒｏ‐Ｓｔａｔｉｃ  Ｄｉｓｃｈａｒｇｅ）を防止したものである。
【０００９】
請求項３の発明は、請求項２の発明において、前記保護プレートは、前記カードの挿入時に、カード先端を前記開口部から空間へガイドし得る形状にされており、板金により形成されているとしたものである。
【発明の効果】
【００１０】
請求項１の発明によれば、ｘＤピクチャーカードの挿入口付近に露出する回路端子を覆うように、断面がＬ字型又はコの字型の形状を有する板金構造でなる保護プレートを回路基板上に設け、この保護プレートを接地電位に接続したので、回路端子がこの保護プレートで確実に覆われて保護され、ｘＤピクチャーカードを挿入するときに人体が回路端子に接触することがなくなり、回路基板上の回路へのＥＳＤを防止することができる。そして、ＥＳＤ対策のためにダイオード等の保護回路を回路端子と回路基板上の回路との間に設ける必要がなくなり、安価で製造が容易な保護プレートを設けるだけでｘＤピクチャーカード用のカードコネクタを容易に回路基板上に搭載することが可能となる。
【００１１】
請求項２の発明によれば、メモリーカードの挿入口付近に露出する回路端子を覆うように、導電部材でなる保護プレートを回路基板上に設け、この保護プレートを接地電位に接続したので、メモリーカードを挿入するときに人体が回路端子に接触することがなくなり、回路基板上の回路へのＥＳＤを防止することができる。そして、ＥＳＤ対策のためにダイオード等の保護回路を回路端子と回路基板上の回路との間に設ける必要がなくなり、安価な保護プレートを設けるだけでカードコネクタを容易に回路基板上に搭載することが可能となる。
【００１２】
請求項３の発明によれば、保護プレートを板金によって、メモリーカードを挿入する際のガイドとなるような形状に形成したので、回路端子を確実に覆うことが可能となって帯電している人体が回路端子に触れることがなくなり、より確実に回路基板上の回路へのＥＳＤが防止できる。また、保護プレートを安価且つ容易に製造することが可能となる。
【発明を実施するための最良の形態】
【００１３】
以下、本発明の実施の形態について図面を参照して説明する。図１、図２（ａ）（ｂ）は、本実施形態におけるカードコネクタを示す。このカードコネクタは、例えばｘＤピクチャーカード等のメモリーカード（以下、カードという）５と回路基板４上の回路４ａとを導電接続するためのものであり、回路基板４上に固定される筐体１と、導電部材からなり筐体１に保持される回路端子２と、回路基板４上に設けられる保護プレート３とを備えている。
【００１４】
筐体１は、樹脂等からなるハウジング１ａと、このハウジング１ａを覆うように配される金属板等のカバープレート１ｂとからなる。この筐体１のハウジング１ａとカバープレート１ｂは、例えばｘＤピクチャーカード等のメモリーカード（以下、カードとする）５が収納される空間１ｃを形成しており、このカード５を空間１ｃに導入するための開口部１ｄを有している。回路端子２は、この開口部１ｄ近傍で筐体１のハウジング１ａに保持されており、一端が回路基板４上の回路４ａに導電接続される接続点２ａとなり、他端がこの接続点２ａから空間１ｃ側に延設されている。回路端子２は、カード５の挿入口となる筐体１の開口部１ｄ側に露出した形状となっており、回路端子２のこの露出部分を覆うように、保護プレート３が回路基板４上に配されている。保護プレート３は、例えば薄い鉄板等を板金によって形成したものであり、ハンダ３ａによって回路基板４上に固定され、この固定部分で回路基板４上の回路４ａに配される接地電位（図示なし）と接続されている。この保護プレート３は、図２（ｂ）に示されるように、回路基板４上より立ち上がって回路端子２側に曲折して延ばされた、Ｌ字型形状の断面となる形状であり、カード５が挿入されるときに、カード５の先端を開口部１ｄから空間１ｃに、回路端子２の回路基板４からの高さ相当分ガイドし得るような形状とされ、回路端子２の露出部分を確実に覆うようになっている。ここで、本実施形態において、この保護プレート３は種々の形状とすることが可能であり、回路端子２の開口部１ｄ付近の露出部分を覆う形状とすればよい。例えば、断面がＬ字型でなく、回路基板４上より立ち上がって回路端子２側に曲折して延ばされ、さらに下方に曲折した形状等のコの字型であってもよい。
【００１５】
図３は、本実施形態において、カード５が空間１ｃに挿入されたときのカードコネクタを示す。このカードコネクタには、カード５が、その端子部を下側として図１の矢印方向に開口部１ｄから空間１ｃに挿入される。カード５が挿入されると、カード５の端子部と回路端子２とが摺動接触することにより、カード５と回路基板４上の回路４ａとが導電接続される。ここで、カード５を手で保持してこのカードコネクタに挿入する場合、保護プレート３に手が接触することがある。このとき、この人体が静電気を帯電している状態でも、この保護プレート３は回路４ａに配される接地電位に接続されているので、保護プレート３に手が接触すると、人体に帯電していた電荷が接地電位に放電され、回路端子２及び回路基板４上の回路４ａへのＥＳＤは発生しない。
【００１６】
上述のように、カード５の挿入口付近に露出する回路端子２を覆うようにＬ字型の保護プレート３を設けることにより、カード５を帯電している人体がカードコネクタに挿入するときでも回路端子２と接触することがなくなり、確実に回路端子２を保護して回路基板４上の回路４ａへのＥＳＤを防止することが可能となる。これにより、ＥＳＤ対策のためにダイオード等の保護回路を回路端子２と回路基板４上の回路４ａとの間に設ける必要がなくなり、板金により安価で容易に製造可能な保護プレート３を設けるだけでカードコネクタを容易に回路基板４上に搭載することが可能となる。
【００１７】
なお、本発明は上記実施形態の構成に限定するものではなく、発明の範囲を変更しない範囲で適宜に種々の変形が可能である。例えば、保護プレート３を、金属のネジ等によって回路基板４に固定するとともに回路４ａに配される接地電位に接続してもよく、上述と同様に回路基板４上の回路４ａへのＥＳＤを防止することが可能となる。
【図面の簡単な説明】
【００１８】
【図１】本発明の実施形態におけるカードコネクタの斜視図。
【図２】（ａ）は同上におけるカードコネクタの正面図、（ｂ）はそのＡ−Ａ線断面図。
【図３】同上におけるカードコネクタの、カード挿入後を示す斜視図。
【図４】従来のカードコネクタの構成を示す図。
【符号の説明】
【００１９】
１  筐体
１ｃ  空間
１ｄ  開口部
２  回路端子
２ａ  接続点
３  保護プレート
４  回路基板
４ａ  回路
５  カード
【図１】
2006196355.tif 000003
【図２】
2006196355.tif 000004
【図３】
2006196355.tif 000005
【図４】
2006196355.tif 000006